(57)【要約】【課題】ボルト締結時に該ボルトの回転に伴う端子金具の回転を効果的に防止することができる電気接続箱を提供すること。【解決手段】端子取付部９は、切欠き２４の進入口に嵌め込まれる回転防止突起１０１を有する。箱本体２は、回転防止突起１０１が間に配置されるように対向する一対のロック突起１００，１００を有する。端子金具３が端子取付部９に固定される際、端子金具３が両側からロック突起１００，１００により係止されるとともに、切欠き２４の進入口に回転防止突起１０１が嵌め込まれる。【選択図】図１
2007282399.tif 000002
【特許請求の範囲】
【請求項１】
電気部品が装着される箱本体と、前記箱本体に設けられた端子取付部と、端子金具と、を備え、前記端子金具が、前記端子取付部の被接続部に設けられたボルトと当該被接続部との間に挟まれて前記端子取付部に固定される電気接続箱であって、
前記端子金具が、
前記ボルトと前記被接続部との間にスライド移動されて進入した後、前記ボルトが回転されることにより前記ボルトと前記被接続部との間に締め付けられて前記被接続部と電気的に接続される電気接触部と、
前記ボルトのねじ部を通すために前記電気接触部に形成され且つ、該電気接触部の一つの外縁で開口する切欠きと、
前記電気接触部に連なり且つ電線が接続される電線接続部と、
前記電気接触部に連なり且つ前記電気接触部の前記一つの外縁から立設された補強橋部と、
を含み、
前記補強橋部が、前記切欠きの両側に配置されるように前記電気接触部の前記一つの外縁から立設された一対の立設部と、該立設部の上部同士を連結した連結部と、を備え、
前記立設部および前記連結部により前記切欠きへの前記ボルトの進入口が形成され、
前記端子取付部が、前記進入口に嵌め込まれる回転防止突起を有し、
前記箱本体が、前記回転防止突起が間に配置されるように対向する一対のロック突起を有し、
前記端子金具が前記端子取付部に固定される際、前記立設部が両側から前記ロック突起により係止されるとともに、前記進入口に前記回転防止突起が嵌め込まれることを特徴とする電気接続箱。
【請求項２】
前記電気接触部の前記ボルトと前記被接続部との間に挟まれる接続箇所よりも前記スライド方向の後方に設けられ、且つ前記電気接触部から立設された立設片を更に備えることを特徴とする請求項１に記載した電気接続箱。
【発明の詳細な説明】
【技術分野】
【０００１】
本発明は、移動体としての自動車等に配索される電線の端末に取り付けられる端子金具を備えた電気接続箱に関する。
【背景技術】
【０００２】
移動体としての自動車には、一般に、ヘッドランプおよびテールランプ等のランプ類、スタータモータおよびエアコンディショナ用のモータ等のモータ類、等といった多種多様な電子機器が搭載されている。
【０００３】
前述した多種多様な電子機器に電力を供給するために、前記自動車にはジャンクションブロックが適宜箇所に配置されている。前記ジャンクションブロックは、多数のヒューズやリレー等の各種の電気回路ユニットを集約して構成されている。
【０００４】
尚、ジャンクションブロックは、ヒューズ、リレー、バスバー等を有することもあることから、ヒューズブロック、リレーボックス、または総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、端子金具（例えば、特許文献１参照）と、を備えている。箱本体の例えば上面には、前述したリレー、ヒューズやヒュージブルリンク等の電気部品が装着される装着部が複数設けられている。更に、上面には、導電性の板金で構成された被接続部と、該被接続部に螺合した締め付け部材としてのボルトとを設けている。ボルトは、被接続部にねじ込まれることで、その頭の被接続部からの距離が変更される。また、箱本体の例えば下面には、前述した自動車に配索されるワイヤハーネスのコネクタが嵌合する。
【０００６】
ワイヤハーネスは、複数の電線と、該電線の端部等に取り付けられたコネクタとを備えている。コネクタは、前述した自動車に搭載される各種の電子機器や前述した箱本体に嵌合する。更に、箱本体は、前述した装着部に装着される各種の電気部品と、ワイヤハーネスのコネクタの端子とを予め定められたパターンに従って接続するバスバー等を収容している。
【０００７】
端子金具は、厚手の導電性の板金からなり、平板状の電気接触部と、電線接続部とを一体に備えている。電気接触部には、前述したボルトのねじ部を通すことのできる孔または切欠きが設けられている。電気接触部は、スライドされることで、孔または切欠き内にボルトのねじ部が通される。そして、電気接触部は、ボルトが前述した被接続部にねじ込まれる等して、該ボルトの頭と前記被接続部との間に挟まれた格好で、前述した箱本体に取り付けられる。
【０００８】
電線接続部は、前述した電気接触部に連なっている。電線接続部は、電源等と接続した電線を加締めるかしめ片等を備えている。電線接続部は、加締め片で電線を加締めて、該電線の芯線と接続する。該電線は、電源と接続している。
【０００９】
前述した電気接続箱は、電源と接続した電線が取り付けられた端子金具の電気接触部を、前述したボルトにより、前述した箱本体の上面に設けられた被接続部に取り付ける。そして、各装着部に所望の電気部品を装着し、ワイヤハーネスのコネクタを箱本体の下面に嵌合する。こうして、前述した電気接続箱が組み立てられる。そして、電気接続箱は、電源等から供給される電源からの電力を、ヒュージブルリンク、ワイヤハーネスの電線、等を介して前述した電子機器に供給する。
【００１０】
この電気接続箱は、端子金具のブリッジ部を内側から係止するための可撓性係止部を備えているが、ボルト締結時に該ボルトの回転に伴う端子金具の回転によって可撓性係止部が破損してしまう可能性がある。
【００１１】
また、この電気接続箱は、箱本体を小型化するために、前述した端子金具の電線接続部を前記電気接触部から立設させるとともに、箱本体の外壁面から凹の凹溝を設けて、該凹溝内に電線接続部と該電線接続部に接続された電線とを収容することが考えられる。この場合、前述した孔または切欠き内にボルトのねじ部を挿入するための電気接触部の挿入方向と、該電気接触部と電線接続部とが並ぶ方向とが互いに直交する場合が考えられる。
【００１２】
この場合、前述した電気接触部をスライドさせる際に、作業員が電気接触部の前述した孔または切欠きの近傍を押圧することとなる。すると、電気接触部の前述した孔または切欠きの近傍に作業員の手袋の繊維等が付着して、電気接触部即ち端子金具と被接続部との導通が不十分になる可能性がある。また、電気接触部が平板状に形成されているため、作業員が該電気接触部をスライドさせにくく、該電気接触部即ち端子金具を前述した被接続部に取付けにくくなる可能性がある。
【００１３】
【特許文献１】特開平１１−３１４５０号公報（図７〜図９）
【発明の開示】
【発明が解決しようとする課題】
【００１４】
本発明は、上述した事情に鑑みてなされたものであり、その目的は、ボルト締結時に該ボルトの回転に伴う端子金具の回転を効果的に防止することができるとともに、被接続部と十分に導通させることができるように該被接続部とボルトとの間に端子金具を容易に取り付けることができる電気接続箱を提供することにある。
【課題を解決するための手段】
【００１５】
前述した目的を達成するため、本発明に係る電気接続箱は、下記（１）および（２）を特徴としている。
（１）  電気部品が装着される箱本体と、前記箱本体に設けられた端子取付部と、端子金具と、を備え、前記端子金具が、前記端子取付部の被接続部に設けられたボルトと当該被接続部との間に挟まれて前記端子取付部に固定される電気接続箱であって、
前記端子金具が、
前記ボルトと前記被接続部との間にスライド移動されて進入した後、前記ボルトが回転されることにより前記ボルトと前記被接続部との間に締め付けられて前記被接続部と電気的に接続される電気接触部と、
前記ボルトのねじ部を通すために前記電気接触部に形成され且つ、該電気接触部の一つの外縁で開口する切欠きと、
前記電気接触部に連なり且つ電線が接続される電線接続部と、
前記電気接触部に連なり且つ前記電気接触部の前記一つの外縁から立設された補強橋部と、
を含み、
前記補強橋部が、前記切欠きの両側に配置されるように前記電気接触部の前記一つの外縁から立設された一対の立設部と、該立設部の上部同士を連結した連結部と、を備え、
前記立設部および前記連結部により前記切欠きへの前記ボルトの進入口が形成され、
前記端子取付部が、前記進入口に嵌め込まれる回転防止突起を有し、
前記箱本体が、前記回転防止突起が間に配置されるように対向する一対のロック突起を有し、
前記端子金具が前記端子取付部に固定される際、前記立設部が両側から前記ロック突起により係止されるとともに、前記進入口に前記回転防止突起が嵌め込まれること。
（２）  上記（１）の構成の電気接続箱が、更に、前記電気接触部の前記ボルトと前記被接続部との間に挟まれる接続箇所よりも前記スライド方向の後方に設けられ、且つ前記電気接触部から立設された立設片を備えること。
【００１６】
上記（１）の構成の電気接続箱によれば、端子金具が端子取付部に固定される際、ボルトによる固定だけでなく、立設部が両側からロック突起により係止されるとともに、進入口に回転防止突起が嵌め込まれるので、ボルトの回転に伴う端子金具の回転を確実に防止することができる。
上記（２）の構成の電気接続箱によれば、電気接触部の接続箇所よりも該電気接触部のスライド方向の後方に立設片を設けている。このため、立設片を押圧することで、電気接触部を容易にスライドさせることができる。また、立設片を押圧することができるので、作業員が接続箇所等を触れることなく、端子金具を被接続部に取り付けることができる。
【発明の効果】
【００１７】
本発明の電気接続箱によれば、ボルト締結時に該ボルトの回転に伴う端子金具の回転を効果的に防止することができるとともに、被接続部と十分に導通させることができるように該被接続部とボルトとの間に端子金具を容易に取り付けることができる。
【００１８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１９】
以下、本発明に係る電気接続箱の一実施形態を、図１〜図７に基づいて説明する。図１〜図７に示される電気接続箱１は、移動体としての自動車に搭載される。
【００２０】
電気接続箱１は、図１に示すように、箱本体２と、図示しない配線盤と、端子金具３と、サイドカバー４等を備えている。箱本体２は、図２に示すように、本体部１２と、複数のカセットブロック１３と、アッパカバー１４と、ロアカバー１５と、を備えている。本体部１２は、絶縁性の合成樹脂で構成され、周知の射出成型によって成型される。本体部１２は、互いに連なる複数の外壁１６により筒状に形成されている。また、本体部１２には、該本体部１２内を仕切る隔壁１７が設けられている。
【００２１】
カセットブロック１３は、本体部１２内に収容可能な大きさの箱状に形成されている。カセットブロック１３は、本体部１２の図３中の下方側の開口を通して、本体部１２内に収容される。カセットブロック１３は、図示しない端子金具を収容している。カセットブロック１３の図３中下方側の表面（以下、下面と呼ぶ）には、図示しないワイヤハーネスのコネクタが嵌合する。該ワイヤハーネスは、勿論、複数の電線と、該電線の端末に取り付けられたコネクタ等を備えている。
【００２２】
また、カセットブロック１３の図２中の上方側の表面（以下、上面と呼ぶ）１３ａには、電気部品としてのリレー１８やヒューズ１９等が装着される。更に、一つのカセットブロック１３の図２中の上方側の表面には、端子取付部９が設けられている。端子取付部９は、カセットブロック１３が本体部１２に装着されると、後述する凹溝５内に位置付けられる。端子取付部９は、前記上面１３ａに露出した被接続部としての板金部材２２（図５に示す）と、該板金部材２２の図５中の下方側に配置された図示しないナットと、該ナット即ち板金部材２２にねじ部が螺合した（設けられた）締め付け部材としてのボルト２３と、板金部材２２に直交する方向に立設された壁の壁面にボルト２３に向かって突出する縦断面矩形の回転防止突起１０１と、を備えている。尚、例えば図１や図７に示されるように、本体部１２にはロック突起１００，１００が対向するように設けられている。回転防止突起１０１は、端子取付部９を有するカセットブロック１３が本体部１２に組み込まれた際に、ロック突起１００，１００の間に配置される。
【００２３】
端子取付部９では、その板金部材２２上に端子金具３の後述する端子金具３の電気接触部７（図２に示す）が重ねられ、且つボルト２３が電気接触部７に設けられた後述する切欠き２４内を通ってナットに螺合することで、端子金具３の電気接触部７が板金部材２２とボルト２３の頭２３ａとの間に挟まれて、該端子金具３が取り付けられる。
【００２４】
前述したカセットブロック１３内の端子金具は、ワイヤハーネスのコネクタの端子金具と、リレー１８やヒューズ１９等の電気部品と、前述した端子取付部９の板金部材２２等とを接続する。カセットブロック１３は、前述したリレー１８やヒューズ１９等の電気部品と、ワイヤハーネスの電線と、前述した端子金具３に取り付けられた後述する電線２９とを予め定められたパターンに従って、電気的に接続する。
【００２５】
アッパカバー１４は、絶縁性の合成樹脂で構成され、周知の射出成型によって成型される。アッパカバー１４は、互いに連なる複数の外壁２０を備えて、有底筒状に形成されている。アッパカバー１４は、本体部１２の図２中の上方側を覆う状態で、該本体部１２に取り付けられる。
【００２６】
ロアカバー１５は、絶縁性の合成樹脂で構成され、周知の射出成型によって成型される。ロアカバー１５は、互いに連なる複数の外壁２１を備えて、有底筒状に形成されている。ロアカバー１５は、本体部１２の図２中の下方側を覆う状態で、該本体部１２に取り付けられる。
【００２７】
更に、本体部１２の一つの外壁１６の表面（以下、外壁面と呼ぶ）１６ａと、該外壁面１６ａに連なるロアカバー１５の一つの外壁２１の表面（以下、外壁面と呼ぶ）２１ａと、に亘って、図５〜図７に示すように、これらの外壁面１６ａ，２１ａから凹の凹溝５が設けられている。即ち、電気接続箱１は、凹溝５を備えている。凹溝５は、カセットブロック１３の前述した上面１３ａと下面とが互いに相対する方向に沿って、直線状に伸びている。
【００２８】
また、前述した上面１３ａと下面とが互いに相対する方向に直交する方向に沿って、互いに相対する凹溝５の内縁部５ａには、前述した上面１３ａと下面とが互いに相対する方向に沿って直線状に伸びたスライド溝６が設けられている。スライド溝６は、内縁部５ａから凹溝５の幅方向に沿って凹に形成されている。該スライド溝６は、本体部１２とロアカバー１５との双方に設けられている。前述した端子取付部９は、前述した凹溝５の近傍に設けられている。
【００２９】
箱本体２は、本体部１２に装着されたカセットブロック１３に前述したリレー１８やヒューズ１９等の電気部品を装着するとともに、前述した端子取付部９に端子金具３を取り付けて、本体部１２に前述したようにアッパカバー１４とロアカバー１５とを取り付けることで、前述したリレー１８やヒューズ１９等の電気部品や端子金具３を収容する。
【００３０】
端子金具３は、厚手の板金が折り曲げられる等して得られる。端子金具３は、図３に示すように、平板状の電気接触部７と、補強橋部８と、電線接続部１０と、立設片１１とを一体に備えている。
【００３１】
電気接触部７の平面形状は、矩形状である。電気接触部７には、前述したボルト２３のねじ部を通すことのできる切欠き２４が設けられている。切欠き２４は、電気接触部７の一つの外縁７ａから該電気接触部７の内側に向かって延在しており、該電気接触部７の一部を切り欠いている。切欠き２４は、前述した一つの外縁７ａから電気接触部７の内側に向かうに従って、徐々にその幅が減少している。
【００３２】
電気接触部７は、前述した切欠き２４の長手方向に沿う矢印Ｋに沿って、スライドされて、該切欠き２４内に端子取付部９のボルト２３のねじ部が通される。そして、電気接触部７は、切欠き２４の前述した一つの外縁７ａから離れた側の奥部２４ａと該奥部２４ａの近傍が前述した端子取付部９の板金部材２２とボルト２３の頭２３ａとの間に挟まれる。これらの奥部２４ａと該奥部２４ａの近傍は、特許請求の範囲に記載された接続箇所をなしている。また、電気接触部７は、前述した一つの外縁７ａが電気接続箱１の内側に位置し、且つ前述した外壁面１６ａ，２１ａと平行な状態で、前述した端子取付部９に取り付けられる。
【００３３】
補強橋部８は、一対の立設部２５と、該一対の立設部２５同士を連結した連結部２６とを一体に備えている。一対の立設部２５は、電気接触部７の前述した一つの外縁７ａから立設している。一対の立設部２５は、互いの間に前述した切欠き２４を位置付けている。補強橋部８は、前述した一つの外縁７ａの互いの間に切欠き２４を位置付ける部分同士を連結することで、前述した切欠き２４の幅が変化することを規制している。即ち、補強橋部８は、前述した電気接触部７の剛性（強度）を向上させている。また、一対の立設部２５および連結部２６により、切欠き２４へのボルト２３の頭２３ａおよびねじ部の進入口が形成される。この進入口には、端子金具３が端子取付部９取り付けられる際、回転防止突起１０１が嵌合される。
【００３４】
電線接続部１０は、底板部２７と、複数のかしめ片２８とを備えている。底板部２７は、電気接触部７から折り曲げられて、該電気接触部７から立設している。尚、図示例では、底板部２７と電気接触部７とのなす角度は、略９０度である。また、底板部２７は、補強橋部８とは逆向きに、前述した電気接触部７の前述した切欠き２４が開口した一つの外縁７ａと連なる他の外縁７ｂから立設している。この他の外縁７ｂは、端子取付部９に電気接触部７が取り付けられると、前述した外壁面１６ａ，２１ａに対して直交する。更に、電線接続部１０は、底板部２７を備えていることで、電気接触部７から立設している。
【００３５】
かしめ片２８は、底板部２７の幅方向の両縁に連なっている。かしめ片２８は、底板部２７に近づく方向に曲げられて、該底板部２７との間に電線２９を挟む。こうして、かしめ片２８は、電線２９を加締める。電線接続部１０は、かしめ片２８が電線２９を加締めることで、該電線２９が取り付けられるとともに、電線２９と電気的に接続される。
【００３６】
立設片１１は、電気接触部７が端子取付部９に取り付けられた状態で、該電気接触部７の外縁７ｃ，７ｄの前述した切欠き２４の奥部２４ａよりスライド方向Ｋの後方に位置する隅部７ｅから補強橋部８と同じ向きに立設している。即ち、立設片１１は、電気接触部７の外縁７ａ，７ｂ，７ｃ，７ｄのうちの外壁面１６ａ，２１ａと平行で且つ奥部２４ａよりスライド方向Ｋの後方に位置する外縁７ｃと、該外縁７ｃと連なり且つ前述した外壁面１６ａ，２１ａと直交する外縁７ｄとの双方から立設している。隅部７ｅは、外縁７ｃと外縁７ｄとの交差点および該交差点の近傍である。
【００３７】
前述した端子金具３は、電線接続部１０に電線２９が取り付けられて、前述した一つの外縁７ａが電気接続箱１の内側に位置された状態で、前述した切欠き２４の長手方向と平行なスライド方向Ｋに沿って、スライドされていき、端子金具３の立設部２５および連結部２６により形成された進入口から先ずボルト２３の頭２３ａが進入し、よって電気接触部７が端子取付部９の板金部材２２とボルト２３の頭２３ａとの間に挿入される。そして、更なるスライドによりボルト２３のねじ部が切欠き２４内に挿入されて、電線接続部１０および電線２９が凹溝５内に収容される。そして、端子金具３は、その立設部２５がロック突起１００，１００を乗り越えて両側から該ロック突起１００，１００により係止されるとともに、立設部２５および連結部２６により形成された進入口から切欠き２４内に回転防止突起１０１が嵌め込まれ、これにより端子金具３が仮固定される。このとき、ボルト２３のねじ部が切欠き２４の奥部２４ａに当接し、この状態で、ボルト２３がねじ込まれて、電気接触部７が板金部材２２とボルト２３の頭２３ａとの間に挟まれて端子取付部９に取り付けられる。
【００３８】
このとき、勿論、電気接触部７の接続箇所をなす切欠き２４の奥部２４ａと該奥部２４ａの近傍が、端子取付部９の板金部材２２とボルト２３の頭２３ａとの間に挟まれる。また、端子金具３に取り付けられる電線２９は、図示例では、バッテリ等の電源に接続する。
【００３９】
サイドカバー４は、絶縁性の合成樹脂で構成され、周知の射出成形により成形される。サイドカバー４は、図４等に示すように、平板状の本体部３０と、覆い壁３１等を一体に備えている。本体部３０は、平面形状が前述した凹溝５の平面形状と略等しい矩形状に形成されている。本体部３０は、幅方向の両縁が前述したスライド溝６内に挿入されて、箱本体２に取り付けられる。
【００４０】
本体部３０即ちサイドカバー４は、箱本体２に取り付けられると、前述した凹溝５が設けられた外壁１６，２１の外壁面１６ａ，２１ａと略面一になるとともに、前述した凹溝５の外壁１６，２１における開口を塞ぐ。こうして、本体部３０即ちサイドカバー４は、箱本体２に取り付けられると、前述した凹溝５を塞ぐ。また、本体部３０即ちサイドカバー４は、箱本体２に取り付けられると、前述した凹溝５の前述した上面１３ａおよび下面側の開口を塞がない（開放する）。
【００４１】
覆い壁３１は、該サイドカバー４が箱本体２等に取り付けられた状態で、サイドカバー４の本体部３０の前述した上面１３ａ側の端部から電気接続箱１の内側に向かって立設している。覆い壁３１は、前述した上面１３ａと下面との双方と平行に配置されている。覆い壁３１は、本体部３０即ちサイドカバー４が、箱本体２に取り付けられると、前述したボルト２３の頭２３ａを覆う。
【００４２】
前述した電気接続箱１は、以下のように組み立てられる。まず、箱本体２の本体部１２に各カセットブロック１３を取り付ける。そして、各カセットブロック１３の上面１３ａにリレー１８やヒューズ１９等の電気部品を装着するとともに、下面にワイヤハーネスのコネクタを嵌合させる。
【００４３】
その後、本体部１２にロアカバー１５を取り付ける。そして、図５に示すように、電線２９が取り付けられた端子金具３の電気接触部７の前述した切欠き２４を端子取付部９のボルト２３に相対させて、該切欠き２４の長手方向（前述した矢印Ｋで示すスライド方向）に沿って、該端子金具３の電気接触部７を端子取付部９に徐々に近づける。すると、図６に示すように、前述した切欠き２４内にボルト２３のねじ部が進入する。
【００４４】
更に、端子金具３の電気接触部７を前述した切欠き２４の長手方向（前述した矢印Ｋで示すスライド方向）に沿って、電気接触部７の内側に向かってスライドさせる。すると、図７に示すように、立設部２５がロック突起１００，１００により係止され且つ切欠き２４内に回転防止突起１０１が嵌め込まれるとともに、ボルト２３のねじ部が電気接触部７の切欠き２４の奥部２４ａに当接する。そして、ボルト２３をねじ込んで、該ボルト２３の頭２３ａと端子取付部９の板金部材２２との間に端子金具３の電気接触部７を挟んで、該端子取付部９に端子金具３を固定する。すると、端子金具３の電線接続部１０と該電線接続部１０に接続された電線２９が凹溝５内に収容される。そして、アッパカバー１４を本体部１２に取り付けるとともに、スライド溝６内にサイドカバー４の本体部３０の両縁を挿入して、該サイドカバー４を箱本体２に取り付ける。
【００４５】
すると、サイドカバー４が凹溝５を塞ぐ。こうして、前述した構成の電気接続箱１が組み立てられる。そして、電気接続箱１は、自動車に搭載される。そして、電気接続箱１は、ワイヤハーネスが接続した自動車の電子機器と、ヒューズ１９やリレー１８等の電気部品と、前述した電線２９が接続した電源とを、予め定められたパターンに従って、互いに電気的に接続する。
【００４６】
ここで、本発明の理解を深めるため、電気接続箱１の構成を簡潔に述べる。
【００４７】
即ち、電気接続箱１は、
電気部品１８，１９等が装着される箱本体２と、箱本体２に設けられた端子取付部９と、端子金具３と、を備え、端子金具３が、端子取付部９の板金部材２２に設けられたボルト２３と板金部材２２との間に挟まれて端子取付部９に固定される電気接続箱であって、
端子金具３が、
ボルト２３と板金部材２２との間にスライド移動されて進入した後、ボルト２３が回転されることによりボルト２３と板金部材２２との間に締め付けられて板金部材２２と電気的に接続される電気接触部７と、
ボルト２３のねじ部を通すために電気接触部７に形成され且つ、電気接触部７の一つの外縁１ａで開口する切欠き２４と、
電気接触部７に連なり且つ電線２９が接続される電線接続部１０と、
電気接触部７に連なり且つ電気接触部７の一つの外縁１ａから立設された補強橋部８と、
を含み、
補強橋部８が、切欠き２４の両側に配置されるように電気接触部７の一つの外縁１ａから立設された一対の立設部２５，２５と、立設部２５，２５の上部同士を連結した連結部２６と、を備え、
立設部２５，２５および連結部２６により切欠き２４へのボルト２３の進入口が形成され、
端子取付部９が、進入口に嵌め込まれる回転防止突起１０１を有し、
箱本体２が、回転防止突起１０１が間に配置されるように対向する一対のロック突起１００，１００を有し、
端子金具３が端子取付部９に固定される際、立設部２５，２５が両側からロック突起１００，１００により係止されるとともに、進入口に回転防止突起１０１が嵌め込まれる。
【００４８】
また、電気接続箱１は、更に、電気接触部７のボルト２３と板金部材２２との間に挟まれる奥部２４ａよりもスライド方向の後方に設けられ、且つ電気接触部７から立設された立設片１１を備える。
【００４９】
電気接続箱１によれば、端子金具３が端子取付部９に固定される際、ボルト２３による固定だけでなく、立設部２５，２５が両側からロック突起１００，１００により係止されるとともに、進入口に回転防止突起１０１が嵌め込まれるので、ボルト２３の回転に伴う端子金具３の回転を確実に防止することができる。
【００５０】
また、電気接続箱１によれば、電気接触部７の奥部２４ａよりも電気接触部７のスライド方向の後方に立設片１１を設けている。このため、立設片１１を押圧することで、電気接触部７を容易にスライドさせることができる。従って、容易に電気接触部７をスライドさせることができ、該端子金具３の電気接触部７を端子取付部９に容易に取り付けることができる。また、立設片１１を押圧することができるので、作業員が奥部２４ａ等を触れることなく、端子金具３を板金部材２２に取り付けることができる。このため、切欠き２４の奥部２４ａと端子取付部９の板金部材２２との間等に作業員の手袋の繊維等が挟まれることを防止でき、これら端子金具３の電気接触部７と端子取付部９とを十分に互いに導通させることができる。
【００５１】
立設片１１が電気接触部７の外縁７ｃ，７ｄから立設しているので、該立設片１１が切欠き２４の奥部２４ａより確実にスライド方向Ｋの後方に位置付けられる。従って、端子取付部９と十分に導通させることができるように該端子取付部９に端子金具３を容易に取り付けることができる。
【００５２】
立設片１１が電気接触部７の外縁７ｃ，７ｄの隅部７ｅから立設しているので、該立設片１１が、電気接触部７の切欠き２４の奥部２４ａから離れた箇所に確実に位置付けられることとなる。従って、作業員が切欠き２４の奥部２４ａ等に触れることを確実に防止でき、端子取付部９と十分に導通させることができるように該端子取付部９に端子金具３を容易に取り付けることができる。
【００５３】
端子金具３の電線接続部１０を箱本体２の凹溝５内に収容するので、電線接続部１０と該電線接続部１０に取り付けられる電線２９を凹溝５内に収容しておくこととなり、これらが箱本体２の外側に突出することを防止できる。従って、電気接続箱１の小型化を図ることができる。
【００５４】
箱本体２の凹溝５を塞ぐサイドカバー４を設けたので、凹溝５内の電線接続部１０と該電線接続部１０に取り付けられる電線２９に異物が接触することを防止できるとともに、箱本体２の剛性を高めることができる。従って、凹溝５内の電線２９が不意に破損することを防止できる。また、サイドカバー４が凹溝５を塞ぐので箱本体２の剛性を高めることができる。
【００５５】
尚、前述した実施形態は本発明の代表的な形態を示したに過ぎず、本発明は、実施形態に限定されるものではない。即ち、本発明の骨子を逸脱しない範囲で種々変形して実施することができる。例えば、ボルト２３以外の種々の物品を締め付け部材としても良く、切欠き２４の奥部２４ａ以外を接続箇所としても良い。
【図面の簡単な説明】
【００５６】
【図１】本発明に係る電気接続箱の一実施形態の箱本体の本体部の平面図である。
【図２】図１に示された電気接続箱の分解斜視図である。
【図３】図１に示された電気接続箱の電線付きの端子金具を示す斜視図である。
【図４】図１に示された電気接続箱のサイドカバーを示す斜視図である。
【図５】図１に示された電気接続箱の箱本体の端子取付部に端子金具の切欠きを相対させた状態を示す斜視図である。
【図６】図５に示された端子金具を電気接続箱の箱本体に近づけた状態を示す斜視図である。
【図７】図６に示された端子金具の電気接続箱の箱本体の端子取付部に取り付けた状態を示す斜視図である。
【符号の説明】
【００５７】
１  電気接続箱
２  箱本体
３  端子金具
４  サイドカバー
５  凹溝
７  電気接触部
７ｃ，７ｄ  外縁
７ｅ  隅部
１０  電線接続部
１１  立設片
１６ａ，２１ａ  外壁面
１８  リレー（電気部品）
１９  ヒューズ（電気部品）
２２  板金部材（被接続部）
２３  ボルト（締め付け部材）
２４ａ  奥部（接続箇所）
２９  電線
１００  ロック突起
１０１  回転防止突起
Ｋ  スライド方向
【図１】
2007282399.tif 000003
【図２】
2007282399.tif 000004
【図３】
2007282399.tif 000005
【図４】
2007282399.tif 000006
【図５】
2007282399.tif 000007
【図６】
2007282399.tif 000008
【図７】
2007282399.tif 000009